(57)【要約】【課題】高級感、立体感があり、しかも、摩耗、錆または汚れに伴う紋様の不鮮明化を回避し、半永久的に使用を継続し得る記章を提供する。【解決手段】金属基体１を含んでおり、家紋を表す模様は、金属基体１を、厚み方向に貫通する透かし彫り２１〜２９によって表わされている。【選択図】      図１
2004223147.tif 000002
【特許請求の範囲】
【請求項１】
身分、資格、団体、氏族または家などを表す模様を有する記章であって、
金属基体を含んでおり、
前記模様は、前記金属基体を、厚み方向に貫通する透かし彫りによって表わされている
記章。
【請求項２】
請求項１に記載された記章であって、
金属枠体を含んでおり、
前記金属基体は、前記金属枠体の内部に嵌め込まれている
記章。
【発明の詳細な説明】
【０００１】
【発明の属する技術分野】
本発明は、身分、資格、団体、氏族または家などを表す模様を有する記章に関する。本発明において、記章の例示としては、身分、資格若しくは団体を表す模様を有するいわゆるバッジ、または、氏族若しくは家を表す家紋を有する記章を含む。
【０００２】
【従来の技術】
この種の記章の製作にあたっては、大量に用いられる一部のものを除いて、大半のものは、金属基体の表面に、浅く紋様を彫るのが一般的である。
【０００３】
しかし、このようにして製作された記章は、安価であるが、立体感、高級感にかけ、しかも、表面が摩耗したり、錆たり、汚れたりした場合に、紋様が不鮮明になるばかりでなく、品質を低下させてしまうという難点がある。
【０００４】
特に、家紋を有する記章（以下家紋用記章と称する）は、氏族、一族または家族において、幾世代にも渡って連綿と受け継がれ、日本民族固有の文化的遺産となるべきものであるから、高級感及び立体感があることが望まれるのであって、さらに、表面の摩耗、錆または汚れ、それに伴う紋様の不鮮明化、品質の低下を回避し、永続的に、世代から世代へと受け継いで行くことができるものであることが好ましい。
【０００５】
【発明が解決しようとする課題】
本発明の課題は、高級感、立体感があり、しかも、摩耗、錆または汚れに伴う紋様の不鮮明化を回避し、半永久的に使用を継続し得る記章を提供することである。
【０００６】
【課題を解決するための手段】
上述した課題を解決するため、本発明に係る記章は、金属基体を含んでおり、身分、資格、団体、氏族または家などを表す模様は、前記金属基体を、厚み方向に貫通する透かし彫りによって表わされている。
【０００７】
上述したように、本発明に係る記章において、身分、資格、団体、氏族または家などを表す模様は、金属基体を、厚み方向に貫通する透かし彫りによって表わされているから、金属基体の表面に、浅く紋様を彫る従来品と異なって、高級感、立体感があり、しかも、金属基体の表面に、仮に、摩耗、錆または汚れを生じたとしても、紋様の不鮮明化を招くことがない。従って、半永久的に使用を継続し得る。
【０００８】
特に、家紋用記章の場合は、幾世代にも渡って、日本民族固有の文化的遺産として、連綿と受け継いで行くことが可能となるので、文化的遺産の保存に大いに貢献することとなる。
【０００９】
本発明の他の目的、構成及び利点については、添付図面を参照して、更に詳しく説明する。図面は、単なる例示に過ぎない。
【００１０】
【発明の実施の形態】
図１は本発明に係る記章の平面図、図２は図１の２−２線に沿った断面図、図３は図１の３−３線に沿った断面図である。図示実施例は、家紋用記章の一例を示す。家紋の種類は、周知のように、日本全国において、何千種にも及んでおり、それらの大部分について、本発明適用の可能性がある。
【００１１】
図示された家紋用記章は、金属基体１を含んでおり、家紋を表す模様は、金属基体１を、厚み方向に貫通する透かし彫り２１〜２９によって表わされている。模様の外形形状は、金属基体１の外形形状による。金属基体１は、好ましくは、金（ゴールド）、銀、白金（プラチナ）などの貴金属によって構成されている。その最大外径Ｄ１は、１４ｍｍ以上であることが好ましい。また、金属基体１の厚みＴ１はその最大外径Ｄ１が１４ｍｍ程度のものでは、２ｍｍ程度である。
【００１２】
透かし彫り２１〜２９は、要求される模様に応じて実行される。この実施例では、花びら模様を形成すべく、金属基体１の中心部１０から、その外周方向に向かって、円弧放射状に延びる６本の透かし彫り２１〜２６を間隔を隔てて形成してある。透かし彫り２１〜２６のそれぞれは、金属基体１の外周に開口している。
【００１３】
上述した透かし彫り２１〜２６により、金属基体１は、６個の花弁部１１〜１６に区画される。花弁部１１、１３、１５には、中心部１０から矢印状に延びる３つの透かし彫り２７〜２９が設けられている。透かし彫り２１〜２９は、一般には、極細の糸鋸を用いて実行されるもので、極めて高度の透かし彫り技術が要求される。伝統工芸士と称される特殊技術者であればこれが可能であり、それゆえ、本発明は伝統工芸の保存にも資することになる。
【００１４】
上述した家紋用記章において、家紋を表す模様は、金属基体１を、厚み方向に貫通する透かし彫り２１〜２９によって表わされているから、金属基体１の表面に、浅く紋様を彫る従来品と異なって、高級感、立体感がでる。しかも、金属基体１の表面に、仮に、摩耗、錆または汚れを生じたとしても、透かし彫り２１〜２９によって表される紋様の不鮮明化を招くことがない。従って、半永久的に使用を継続し得る。特に、家紋用記章の場合は、幾世代にも渡って、日本民族固有の文化的遺産として、連綿と受け継いで行くことが可能となるので、文化的遺産の継受及び保存に大いに貢献することとなる。
【００１５】
図４は本発明に係る家紋用記章の他の実施例を示す平面図、図５は図４の５−５線に沿った断面図である。図において、図１〜図３に表れた構成部分と同一の構成部分については同一の参照符号を付し、重複説明は、これを省略する。
【００１６】
この実施例の特徴は、金属基体１を、環状の金属枠体３の内部に嵌め込んだことである。金属枠体３は金属基体１と同一材質であってもよいし、異なる材質であってもよい。また、金属枠体３の内部形状及び外形形状は、金属基体１の外形形状に応じて変化するもので、必ずしも、図示の環状に限定されるものではない。金属基体１と金属枠体３とは、接着、溶接などの手段４１によって、接合されている。
【００１７】
上述した実施例では、家紋用記章を例にとって説明したが、身分、資格若しくは団体を表す模様を有するいわゆるバッジ等にも適用できることは、言うまでもない。
【００１８】
【発明の効果】
以上述べたように、本発明によれば、高級感、立体感があり、しかも、摩耗、錆または汚れに伴う紋様の不鮮明化を回避し、半永久的に使用を継続し得る記章を提供することができる。
【図面の簡単な説明】
【図１】本発明に係る記章の平面図である。
【図２】図１の２−２線に沿った断面図である。
【図３】図１の３−３線に沿った断面図である。
【図４】本発明に係る家紋用記章の他の実施例を示す平面図である。
【図５】図４の５−５線に沿った断面図である。
【符号の説明】
１                金属基体
２１〜２９        透かし彫り
【図１】
2004223147.tif 000003
【図２】
2004223147.tif 000004
【図３】
2004223147.tif 000005
【図４】
2004223147.tif 000006
【図５】
2004223147.tif 000007